(57)【要約】【課題】利便性を向上させた撮像画像共有システム、撮像画像共有方法及びプログラムを提供することを目的とする。【解決手段】情報端末１００が撮像した撮像画像を、ネットワークを介して接続されたオペレータ端末２００と共有する撮像画像共有システム１は、オペレータ端末２００が表示する撮像画像に映っている機器に対して、指定を受け付け、指定を受け付けた機器を特定し、特定した機器の機器情報を、オペレータ端末２００に表示する。【選択図】図１
2017208351.tif 000002
【特許請求の範囲】
【請求項１】
情報端末が撮像した撮像画像を、ネットワークを介して接続されたオペレータ端末と共有する撮像画像共有システムであって、
前記オペレータ端末が表示する撮像画像に映っている機器に対して、指定を受け付ける機器指定受付手段と、
前記指定を受け付けた機器を特定する機器特定手段と、
前記特定した機器の機器情報を、前記オペレータ端末に表示する第１の機器情報表示手段と、
を備えることを特徴とする撮像画像共有システム。
【請求項２】
前記機器指定受付手段は、視線を認識して前記機器の指定を受け付ける、
ことを特徴とする請求項１に記載の撮像画像共有システム。
【請求項３】
前記機器指定受付手段は、操作を認識して前記機器の指定を受け付ける、
ことを特徴とする請求項１に記載の撮像画像共有システム。
【請求項４】
前記機器特定手段は、前記指定を受け付けた機器を画像認識して特定する、
ことを特徴とする請求項１に記載の撮像画像共有システム。
【請求項５】
前記機器特定手段は、前記指定を受け付けた機器に備えられた情報コードを読み取って特定する、
ことを特徴とする請求項１に記載の撮像画像共有システム。
【請求項６】
前記特定した機器情報を、前記情報端末に表示する第２の機器情報表示手段と、
を備えることを特徴とする請求項１に記載の撮像画像共有システム。
【請求項７】
情報端末が撮像した撮像画像を、ネットワークを介して接続されたオペレータ端末と共有する撮像画像共有方法であって、
前記オペレータ端末が表示する撮像画像に映っている機器に対して、指定を受け付けるステップと、
前記指定を受け付けた機器を特定するステップと、
前記特定した機器の機器情報を、前記オペレータ端末に表示するステップと、
を備えることを特徴とする撮像画像共有方法。
【請求項８】
情報端末が撮像した撮像画像を、ネットワークを介して接続されたオペレータ端末と共有する撮像画像共有システムに、
前記オペレータ端末が表示する撮像画像に映っている機器に対して、指定を受け付けるステップ、
前記指定を受け付けた機器を特定するステップ、
前記特定した機器の機器情報を、前記オペレータ端末に表示するステップ、
を実行させるプログラム。
【発明の詳細な説明】
【技術分野】
【０００１】
本発明は、情報端末が撮像した撮像画像を、ネットワークを介して接続されたオペレータ端末と共有する撮像画像共有システム、撮像画像共有方法及びプログラムに関する。
【背景技術】
【０００２】
近年、ユーザが操作する情報端末と、オペレータが操作するオペレータ端末とをネットワークを介して接続し、リアルタイムで画面を共有することが行われている。このような画面の共有において、情報端末が表示する画像をオペレータ端末にも表示することにより、オペレータは、ユーザが閲覧する画面に基づいた指示を出すことが行われている。【０００３】
また、対象機器の外観を表す画像等に基づいて、この機器の複数の部位に関わる機能、操作方法等の各種情報を部位ごとに表示する構成が開示されている（特許文献１参照）。
【先行技術文献】
【特許文献】
【０００４】
【特許文献１】特開２０１５−４３５３８号公報
【発明の概要】
【発明が解決しようとする課題】
【０００５】
しかしながら、特許文献１の構成は、画像内に含まれる全ての特徴量を抽出し、この特徴量に関連付けられたコンテンツとこの画像とを表示する構成である。そのため、仮に、この画像を、情報端末とオペレータ端末とで共有した場合、オペレータが所望しないコンテンツをも表示してしまい、オペレータが適切な指示を出すことが困難になってしまうおそれがあった。そのため、利便性が低かった。【０００６】
本発明は、利便性を向上させた撮像画像共有システム、撮像画像共有方法及びプログラムを提供することを目的とする。
【課題を解決するための手段】
【０００７】
本発明では、以下のような解決手段を提供する。【０００８】
第１の特徴に係る発明は、情報端末が撮像した撮像画像を、ネットワークを介して接続されたオペレータ端末と共有する撮像画像共有システムであって、
前記オペレータ端末が表示する撮像画像に映っている機器に対して、指定を受け付ける機器指定受付手段と、
前記指定を受け付けた機器を特定する機器特定手段と、
前記特定した機器の機器情報を、前記オペレータ端末に表示する第１の機器情報表示手段と、
を備えることを特徴とする撮像画像共有システムを提供する。【０００９】
第１の特徴に係る発明によれば、情報端末が撮像した撮像画像を、ネットワークを介して接続されたオペレータ端末と共有する撮像画像共有システムは、前記オペレータ端末が表示する撮像画像に映っている機器に対して、指定を受け付け、前記指定を受け付けた機器を特定し、前記特定した機器の機器情報を、前記オペレータ端末に表示する。【００１０】
第１の特徴に係る発明は、撮像画像共有システムのカテゴリであるが、方法及びプログラム等の他のカテゴリにおいても、そのカテゴリに応じた同様の作用・効果を発揮する。【００１１】
第２の特徴に係る発明は、前記機器指定受付手段が、視線を認識して前記機器の指定を受け付ける、
ことを特徴とする第１の特徴に係る発明である撮像画像共有システムを提供する。【００１２】
第２の特徴に係る発明によれば、第１の特徴に係る発明である撮像画像共有システムは、視線を認識して前記機器の指定を受け付ける。【００１３】
第３の特徴に係る発明は、前記機器指定受付手段が、操作を認識して前記機器の指定を受け付ける、
ことを特徴とする第１の特徴に係る発明である撮像画像共有システムを提供する。【００１４】
第３の特徴に係る発明によれば、第１の特徴に係る発明である撮像画像共有システムは、操作を認識して前記機器の指定を受け付ける。【００１５】
第４の特徴に係る発明は、前記機器特定手段が、前記指定を受け付けた機器を画像認識して特定する、
ことを特徴とする第１の特徴に係る発明である撮像画像共有システムを提供する。【００１６】
第４の特徴に係る発明によれば、第１の特徴に係る発明である撮像画像共有システムは、前記指定を受け付けた機器を画像認識して特定する。【００１７】
第５の特徴に係る発明は、前記機器特定手段は、前記指定を受け付けた機器に備えられた情報コードを読み取って特定する、
ことを特徴とする第１の特徴に係る発明である撮像画像共有システムを提供する。【００１８】
第５の特徴に係る発明によれば、第１の特徴に係る発明である撮像画像共有システムは、前記指定を受け付けた機器に備えられた情報コードを読み取って特定する。【００１９】
第６の特徴に係る発明は、前記特定した機器情報を、前記情報端末に表示する第２の機器情報表示手段と、
を備えることを特徴とする第１の特徴に係る発明である撮像画像共有システムを提供する。【００２０】
第６の特徴に係る発明によれば、第１の特徴に係る発明である撮像画像共有システムは、前記特定した機器情報を、前記情報端末に表示する。【００２１】
第７の特徴に係る発明は、情報端末が撮像した撮像画像を、ネットワークを介して接続されたオペレータ端末と共有する撮像画像共有方法であって、
前記オペレータ端末が表示する撮像画像に映っている機器に対して、指定を受け付けるステップと、
前記指定を受け付けた機器を特定するステップと、
前記特定した機器の機器情報を、前記オペレータ端末に表示するステップと、
を備えることを特徴とする撮像画像共有方法を提供する。【００２２】
第８の特徴に係る発明は、情報端末が撮像した撮像画像を、ネットワークを介して接続されたオペレータ端末と共有する撮像画像共有システムに、
前記オペレータ端末が表示する撮像画像に映っている機器に対して、指定を受け付けるステップ、
前記指定を受け付けた機器を特定するステップ、
前記特定した機器の機器情報を、前記オペレータ端末に表示するステップ、
を実行させるプログラムを提供する。
【発明の効果】
【００２３】
本発明によれば、利便性を向上させた撮像画像共有システム、撮像画像共有方法及びプログラムを提供することが可能となる。
【図面の簡単な説明】
【００２４】
【図１】図１は、撮像画像共有システム１の概要を示す図である。
【図２】図２は、撮像画像共有システム１の全体構成図である。
【図３】図３は、情報端末１００、オペレータ端末２００の機能ブロック図である。
【図４】図４は、情報端末１００、オペレータ端末２００が実行する撮像画像共有処理を示すフローチャートである。
【図５】図５は、オペレータ端末２００が表示する機器情報の一例を示す図である。
【発明を実施するための形態】
【００２５】
以下、本発明を実施するための最良の形態について図を参照しながら説明する。なお、これはあくまでも一例であって、本発明の技術的範囲はこれに限られるものではない。
【００２６】
［撮像画像共有システム１の概要］
本発明の概要について、図１に基づいて説明する。図１は、本発明の好適な実施形態である撮像画像共有システム１の概要を説明するための図である。撮像画像共有システム１は、情報端末１００、オペレータ端末２００から構成される。なお、情報端末１００及びオペレータ端末２００は、１つに限らず複数であってもよい。また、後述する各処理は、情報端末１００又はオペレータ端末２００のいずれか又は双方により実現されてもよい。また、情報端末１００又はオペレータ端末２００は、実在する装置又は仮想的な装置のいずれか又は双方により実現されてもよい。
【００２７】
情報端末１００は、オペレータ端末２００とデータ通信可能に接続され、ユーザが操作する端末装置である。情報端末１００は、例えば、携帯電話、携帯情報端末、タブレット端末、パーソナルコンピュータに加え、ネットブック端末、スレート端末、電子書籍端末、携帯型音楽プレーヤ等の電化製品や、スマートグラス、ヘッドマウントディスプレイ等のウェアラブル端末や、その他の物品である。なお、本実施形態において、情報端末１００は、携帯情報端末を例として説明する。
【００２８】
オペレータ端末２００は、情報端末１００とデータ通信可能に接続され、オペレータが操作する端末装置である。オペレータ端末２００は、情報端末１００と同様の電化製品や、ウェアラブル端末や、その他の物品である。なお、本実施形態において、オペレータ端末２００は、パーソナルコンピュータを例として説明する。
【００２９】
はじめに、情報端末１００とオペレータ端末２００とは、画像共有に係るネットワーク接続を開始し、情報端末１００が撮像した動画や静止画等の画像を互いに共有する（ステップＳ０１）。例えば、情報端末１００が撮像した撮像画像データを共有することや、情報端末１００が有するカメラ等の撮像装置により撮像する画面の画面データを共有することにより、情報端末１００とオペレータ端末２００とにおいて、同一の画像を表示する。
【００３０】
オペレータ端末２００は、共有する撮像画像に映っている機器に対して、オペレータからの指定の入力を受け付ける（ステップＳ０２）。オペレータ端末２００は、例えば、オペレータの視線を認識し、機器の一部又は全部に対して、オペレータが指定したと判断する。また、オペレータ端末２００は、例えば、オペレータからのタッチパネルやキーボード等による操作入力を認識し、機器の一部又は全部に対して、オペレータが指定したと判断する。なお、指定の受付は、機器の一部又は全部のいずれか又は双方であってもよい。また、オペレータの指定の構成は、他の構成であってもよい。
【００３１】
オペレータ端末２００は、指定を受け付けた機器を特定する（ステップＳ０３）。オペレータ端末２００は、例えば、表示する撮像画像を画像認識し、指定を受け付けた機器の特徴量を抽出する。オペレータ端末２００は、抽出した特徴量と、データベース等に予め記憶した特徴量とに基づいて、この特徴量に関連付けられた製品情報を特定し、この機器の製品情報を特定する。また、オペレータ端末２００は、例えば、指定を受け付けた機器に備えられた一次元コードや二次元コード等の情報コードを読み取って、データベース等に予め記憶した情報コードに関連付けられた製品情報を特定する。製品情報とは、例えば、機器の開発会社、販売会社、名称、型式等である。
【００３２】
オペレータ端末２００は、特定した機器の製品情報に基づいて、機器情報をデータベース等から取得し、機器情報を自身の表示部に表示する（ステップＳ０４）。機器情報とは、例えば、機器の説明書、操作方法等に関するマニュアル、過去の操作履歴等である。このときオペレータ端末２００は、取得した機器情報を、情報端末１００と共有する構成であってもよい。例えば、オペレータ端末２００が特定し、表示した機器情報を、情報端末１００においても表示してもよい。
【００３３】
なお、上述した説明において、情報端末１００とオペレータ端末２００とが、撮像画像共有システム１を構成しているが、サーバが追加されてもよい。この場合、サーバが、上述したＳ０３及びＳ０４の処理を実行する。すなわち、サーバが、機器の特定及び機器情報を取得する。サーバは、取得した機器情報を、情報端末１００及びオペレータ端末２００に送信し、其々の表示部に表示させる。また、サーバは、他の処理を実行する構成であってもよい。
【００３４】
以上が、撮像画像共有システム１の概要である。
【００３５】
［撮像画像共有システム１のシステム構成］
図２に基づいて、撮像画像共有システム１のシステム構成について説明する。図２は、本発明の好適な実施形態である撮像画像共有システム１のシステム構成を示す図である。図２において、撮像画像共有システム１は、情報端末１００、オペレータ端末２００、公衆回線網（インターネット網や、第３、第４世代通信網等）５から構成される。なお、情報端末１００、オペレータ端末２００は、１つに限らず、複数であってもよい。また、後述する各処理は、情報端末１００又はオペレータ端末２００のいずれか又は双方により実現されてもよい。また、各装置は、実在する装置又は仮想的な装置により実現されてもよい。
【００３６】
情報端末１００は、後述の機能を備えた上述した端末装置である。
【００３７】
オペレータ端末２００は、後述の機能を備えた上述した端末装置である。
【００３８】
［各機能の説明］
図３に基づいて、撮像画像共有システム１の機能について説明する。図３は、情報端末１００、オペレータ端末２００の機能ブロック図を示す図である。
【００３９】
情報端末１００は、制御部１１０として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２０として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスを備える。また、情報端末１００は、入出力部１３０として、制御部１１０で制御したデータや画像を出力表示する表示部や、ユーザからの入力を受け付けるタッチパネルやキーボード、マウス等の入力部や、動画や静止画等の画像を撮像する撮像デバイス等を備える。
【００４０】
情報端末１００において、制御部１１０が所定のプログラムを読み込むことにより、通信部１２０と協働して、データ送受信モジュール１５０を実現する。また、情報端末１００において、制御部１１０が所定のプログラムを読み込むことにより、入出力部１３０と協働して、撮像モジュール１６０、表示モジュール１６１を実現する。
【００４１】
オペレータ端末２００は、情報端末１００と同様に、制御部２１０として、ＣＰＵ、ＲＡＭ、ＲＯＭ等を備え、通信部２２０として、他の機器と通信可能にするためのデバイス等を備え、入出力部２３０として、表示部、入力部、撮像デバイス、視線を検知する検知デバイス、画像認識を実行する画像認識デバイス等を備える。
【００４２】
オペレータ端末２００において、制御部２１０が所定のプログラムを読み込むことにより、通信部２２０と協働して、データ送受信モジュール２５０を実現する。また、オペレータ端末２００において、制御部２１０が所定のプログラムを読み込むことにより、入出力部２３０と協働して、表示モジュール２６０、指定受付モジュール２６１、機器特定モジュール２６２を実現する。
【００４３】
［撮像画像共有処理］
図４に基づいて、撮像画像共有システム１が実行する撮像画像共有処理について説明する。図４は、情報端末１００、オペレータ端末２００が実行する撮像画像共有処理のフローチャートを示す図である。上述した各装置のモジュールが実行する処理について、本処理に併せて説明する。
【００４４】
はじめに、情報端末１００とオペレータ端末２００とは、撮像画像の共有に係るネットワーク接続を確立する（ステップＳ１０）。ステップＳ１０において、ネットワーク接続の確立は、一般的な画面共有に係るネットワーク接続と同様である。すなわち、情報端末１００の画面上に表示する撮像画像を、オペレータ端末２００の表示部の一部又は全部に設定された画面共有領域に、表示するためのネットワーク接続である。
【００４５】
撮像モジュール１６０は、動画や静止画等の画像を撮像する（ステップＳ１１）。ステップＳ１１において、撮像モジュール１６０は、ユーザからの入力を受け付け、対象とする機器の一部又は全部を撮像する。
【００４６】
データ送受信モジュール１５０は、撮像した撮像画像の画像データを、オペレータ端末２００に送信する（ステップＳ１２）。なお、ステップＳ１２において、データ送受信モジュール１５０は、実際に撮像した画像データに限らず、撮像モジュール１６０が表示部に表示する撮像画像を、画像データとして送信する構成であってもよい。
【００４７】
データ送受信モジュール２５０は、画像データを受信する。表示モジュール２６０は、画像データに基づいて、情報端末１００が撮像した撮像画像を共有し、共有画面として表示する（ステップＳ１３）。ステップＳ１３において、表示モジュール２６０は、自身の表示部の一部又は全部の領域を、この撮像画像を表示する画面共有領域とし、画面共有領域に撮像画像を表示する。画面共有領域は、画像データの解像度等に応じて可変で設定する構成であってもよい。また、表示モジュール２６０は、画像データの解像度を画面共有領域に併せて変更し、撮像画像を拡大又は縮小して表示する構成であってもよい。
【００４８】
指定受付モジュール２６１は、共有画面に映っている機器に対して、指定を受け付けたか否かを判断する（ステップＳ１４）。ステップＳ１４において、指定受付モジュール２６１は、オペレータの視線又は操作等の入力を受け付けることにより、機器の指定を受け付ける。
【００４９】
ステップＳ１４において、指定受付モジュール２６１は、オペレータの虹彩と目頭との位置や、瞳孔と角膜反射との位置に基づいて、オペレータの視線を認識する、指定受付モジュール２６１は、受け付けたオペレータの視線の先に存在する機器の一部又は全部に対して、指定を受け付けたと判断する。例えば、指定受付モジュール２６１は、オペレータの視線が、所定時間、機器の特定の部位に留まっていた場合、この特定の部位の指定を受け付けたと判断する。また、指定受付モジュール２６１は、オペレータの視線が、複数の部位に対して所定時間、留まっていた場合、この複数の部位の各部位の指定を受け付けたと判断する。また、指定受付モジュール２６１は、オペレータの視線が、所定時間留まらずに、機器の複数の部位又は全体に向けられていた場合、この機器そのものの指定を受け付けたと判断する。
【００５０】
また、ステップＳ１４において、指定受付モジュール２６１は、オペレータのタップやクリック等の操作入力に基づいて、オペレータの操作を認識する。指定受付モジュール２６１は、受け付けた操作入力により指定された機器の一部又は全部に対して、指定を受け付けたと判断する。例えば、指定受付モジュール２６１は、オペレータが機器の特定の部位をタップした場合、この特定の部位の指定を受け付けたと判断する。また、指定受付モジュール２６１は、機器の複数の部位をタップ又は複数の部位を円や矩形等の形状により囲う操作入力を受け付けた場合、この複数の部位の指定を受け付けたと判断する。また、指定受付モジュール２６１は、機器の全体をタップ又は囲う操作入力を受け付けた場合、この機器そのものの指定を受け付けたと判断する。また、指定受付モジュール２６１は、その他の構成により、機器の指定を受け付けてもよい。
【００５１】
なお、指定受付モジュール２６１は、他の構成により、機器の指定を受け付けてもよい。
【００５２】
ステップＳ１４において、指定受付モジュール２６１は、指定を受け付けていないと判断した場合（ステップＳ１４  ＮＯ）、受け付けるまで本処理を繰り返す。
【００５３】
一方、ステップＳ１４において、指定受付モジュール２６１は、指定を受け付けたと判断した場合（ステップＳ１４  ＹＥＳ）、機器特定モジュール２６２は、指定を受け付けた機器を特定する（ステップＳ１５）。ステップＳ１５において、機器特定モジュール２６２は、この機器の開発会社、販売会社、種別、名称、型式、販売元ＵＲＬ等の製品情報を特定する。
【００５４】
ステップＳ１５において、機器特定モジュール２６２は、指定を受け付けた機器を、画像認識することにより、この機器の特徴量（例えば、色、文字、大きさ、付属品、装置、機構等）を抽出する。機器特定モジュール２６２は、抽出した特徴量に基づいて、機器を特定する。機器特定モジュール２６２は、例えば、外部データベースに記憶された特徴量や、オペレータ端末２００が有するデータベースに記憶された特徴量等と、抽出した特徴量とを比較することにより、この機器の製品情報を特定する。このようなデータベースは、少なくとも、特徴量と、製品情報とが対応付けられていればよい。なお、データベースに限らず、機器特定モジュール２６２は、製品情報の一部又は全部と特徴量とを対応付けて記憶した外部サイト等を参照し、抽出した特徴量に基づいた製品情報を特定してもよい。また、機器特定モジュール２６２は、その他の構成により製品情報を特定してもよい。
【００５５】
また、ステップＳ１５において、機器特定モジュール２６２は、指定を受け付けた機器に備えられた一次元コードや二次元コード等の情報コードを読み取って、製品情報を特定する。機器特定モジュール２６２は、読み取った情報コードに対応付けられたデータベース等を参照することにより、この機器の製品情報を特定してもよいし、読み取った情報コードに含まれる外部サイト等にアクセスし、製品情報を特定してもよい。
【００５６】
データ送受信モジュール２５０は、特定した機器の製品情報に基づいて、機器の説明書、操作方法マニュアル、過去の操作履歴等の機器情報を取得する（ステップＳ１６）。ステップＳ１６において、データ送受信モジュール２５０は、外部データベースや製造元ウェブサイト等を参照し、製品情報に該当する機器の機器情報を取得する。
【００５７】
表示モジュール２６０は、取得した機器情報を表示する（ステップＳ１７）。ステップＳ１７において、表示モジュール２６０は、共有画面において、指定を受け付けた機器に重畳させて機器情報を表示する。なお、表示モジュール２６０は、共有画面領域とは異なる領域に機器情報を表示する構成であってもよい。また、表示モジュール２６０は、音声等により機器情報を表示する構成であってもよいし、他の構成により機器情報を表示する構成であってもよい。
【００５８】
図５に基づいて、表示モジュール２６０が表示する機器情報について説明する。図５は、表示モジュール２６０が表示する機器情報の一例を示す図である。図５において、表示モジュール２６０は、共有画面領域３００、機器３１０、指定アイコン３２０、機器情報表示領域３３０を表示する。共有画面領域３００は、共有する撮像画像を表示する領域である。機器３１０は、撮像画像に映っている機器である。指定アイコン３２０は、指定受付モジュール２６１により入力を受け付けた対象物を囲うアイコンである。機器情報表示領域３３０は、取得した機器情報を表示する領域である。なお、指定アイコン３２０は、円や矩形等に限らず、矢印やハイライト等のように、指定した部位や機器を示す構成であれば適宜変更可能である。
【００５９】
表示モジュール２６０は、指定アイコン３２０により、指定された機器３１０の機器情報を、機器情報表示領域３３０に表示する。表示モジュール２６０は、機器情報表示領域３３０を、機器３１０に重畳させて表示する。なお、表示モジュール２６０は、機器情報表示領域３３０を、共有画面領域３００とは異なる領域に表示する構成であってもよい。この場合、例えば、引出線等により、どの機器の機器情報を表示しているのかを明確にすることも可能である。
【００６０】
データ送受信モジュール２５０は、機器情報を、情報端末１００に送信する（ステップＳ１８）。
【００６１】
データ送受信モジュール１５０は、機器情報を受信する。表示モジュール１６１は、機器情報を表示する（ステップＳ１９）。ステップＳ１９において、表示モジュール１６１は、画面に映っているオペレータによる指定を受け付けた機器に、機器情報を重畳させて表示する。ステップＳ１９において、情報端末１００が表示する機器情報は、上述したステップＳ１７において、オペレータ端末２００が表示する機器情報と同様である。すなわち、オペレータがどの機器を指定したかを示すアイコン及び機器情報が少なくとも表示されていればよい。
【００６２】
なお、上述した説明において、情報端末１００とオペレータ端末２００とが、撮像画像共有システム１を構成しているが、サーバが追加されてもよい。この場合、サーバが、上述した機器特定モジュール２６２、データ送受信モジュール１５０、データ送受信モジュール２５０の機能を実行する構成とすればよい。例えば、サーバが、製品情報の特定、機器情報の取得等を実行する構成であればよい、すなわち、サーバが、機器の特定及び機器情報を取得し、この機器情報を、情報端末１００及びオペレータ端末２００に送信し、其々の表示部に表示させる構成であればよい。また、サーバは、上述した例以外の他の処理を実行する構成であってもよい。
【００６３】
上述した手段、機能は、コンピュータ（ＣＰＵ、情報処理装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００６４】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６５】
１  撮像画像共有システム、１００  情報端末、２００  オペレータ端末
【図１】
2017208351.tif 000003
【図２】
2017208351.tif 000004
【図３】
2017208351.tif 000005
【図４】
2017208351.tif 000006
【図５】
2017208351.tif 000007
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
情報端末が撮像した撮像画像を、ネットワークを介して接続されたオペレータ端末と共有する撮像画像共有システムであって、
前記オペレータ端末が表示する撮像画像に映っている機器に対して、オペレータの視線を認識し、その視線が機器の特定の部位に所定時間留まるか否かにより、機器の一部又は全部の指定を受け付ける機器指定受付手段と、
前記指定を受け付けた機器を特定する機器特定手段と、
前記特定した機器の機器情報を、前記オペレータ端末に表示する第１の機器情報表示手段と、
を備えることを特徴とする撮像画像共有システム。
【請求項２】
（削除）
【請求項３】
（削除）
【請求項４】
前記機器特定手段は、前記指定を受け付けた機器を画像認識して特定する、
ことを特徴とする請求項１に記載の撮像画像共有システム。
【請求項５】
前記機器特定手段は、前記指定を受け付けた機器に備えられた情報コードを読み取って特定する、
ことを特徴とする請求項１に記載の撮像画像共有システム。
【請求項６】
前記特定した機器情報を、前記情報端末に表示する第２の機器情報表示手段と、
を備えることを特徴とする請求項１に記載の撮像画像共有システム。
【請求項７】
情報端末が撮像した撮像画像を、ネットワークを介して接続されたオペレータ端末と共有する撮像画像共有方法であって、
前記オペレータ端末が表示する撮像画像に映っている機器に対して、オペレータの視線を認識し、その視線が機器の特定の部位に所定時間留まるか否かにより、機器の一部又は全部の指定を受け付けるステップと、
前記指定を受け付けた機器を特定するステップと、
前記特定した機器の機器情報を、前記オペレータ端末に表示するステップと、
を備えることを特徴とする撮像画像共有方法。
【請求項８】
情報端末が撮像した撮像画像を、ネットワークを介して接続されたオペレータ端末と共有する撮像画像共有システムに、
前記オペレータ端末が表示する撮像画像に映っている機器に対して、オペレータの視線を認識し、その視線が機器の特定の部位に所定時間留まるか否かにより、機器の一部又は全部の指定を受け付けるステップ、
前記指定を受け付けた機器を特定するステップ、
前記特定した機器の機器情報を、前記オペレータ端末に表示するステップ、
を実行させるプログラム。
【手続補正書】
【提出日】平成30年6月23日(2018.6.23)
【手続補正１】
【補正対象書類名】特許請求の範囲
【補正対象項目名】全文
【補正方法】変更
【補正の内容】
【特許請求の範囲】
【請求項１】
情報端末が撮像した撮像画像を、ネットワークを介して接続されたオペレータ端末と共有する撮像画像共有システムであって、
前記オペレータ端末が表示する撮像画像に映っている機器に対して、オペレータの視線を認識し、その視線が機器の特定の部位に所定時間留まるか否かにより、機器の一部又は全部の指定を受け付ける機器指定受付手段と、
前記指定を受け付けた機器を特定する機器特定手段と、
前記特定した機器の機器情報を、前記オペレータ端末に表示する第１の機器情報表示手段と、
を備えることを特徴とする撮像画像共有システム。
【請求項２】
前記機器特定手段は、前記指定を受け付けた機器を画像認識して特定する、
ことを特徴とする請求項１に記載の撮像画像共有システム。
【請求項３】
前記機器特定手段は、前記指定を受け付けた機器に備えられた情報コードを読み取って特定する、
ことを特徴とする請求項１に記載の撮像画像共有システム。
【請求項４】
前記特定した機器情報を、前記情報端末に表示する第２の機器情報表示手段と、
を備えることを特徴とする請求項１に記載の撮像画像共有システム。
【請求項５】
情報端末が撮像した撮像画像を、ネットワークを介して接続されたオペレータ端末と共有する撮像画像共有システムが実行する撮像画像共有方法であって、
前記オペレータ端末が表示する撮像画像に映っている機器に対して、オペレータの視線を認識し、その視線が機器の特定の部位に所定時間留まるか否かにより、機器の一部又は全部の指定を受け付けるステップと、
前記指定を受け付けた機器を特定するステップと、
前記特定した機器の機器情報を、前記オペレータ端末に表示するステップと、
を備えることを特徴とする撮像画像共有方法。
【請求項６】
情報端末が撮像した撮像画像を、ネットワークを介して接続されたオペレータ端末と共有する撮像画像共有システムに、
前記オペレータ端末が表示する撮像画像に映っている機器に対して、オペレータの視線を認識し、その視線が機器の特定の部位に所定時間留まるか否かにより、機器の一部又は全部の指定を受け付けるステップ、
前記指定を受け付けた機器を特定するステップ、
前記特定した機器の機器情報を、前記オペレータ端末に表示するステップ、
を実行させるためのコンピュータ読み取り可能なプログラム。
【国際調査報告】
2017208351.tif 000008
2017208351.tif 000009
2017208351.tif 000010
2017208351.tif 000011